(57)【要約】      （修正有）【課題】簡易な構造でありながらも携帯性が良く、かつ、内蔵カメラの撮影アングルが適宜の角度となるように、スマートフォンや携帯電話などの携帯情報機器を収納して自立保持させることができる携帯情報機器ケースを提供する。【解決手段】本体ケース１０には、第１の嵌合部３１を設けたスタンド用支持板２を開口部１２に着脱可能に一体的に取付ける一方、本体ケースの外表面には、第１の嵌合部に対応する第２の嵌合部４１を設けて構成され、スタンド用支持板を本体ケースより取り外し、第１の嵌合部を第２の嵌合部に嵌入れて結合させることで、本体ケースに収納した携帯情報機器を立設保持する構造になっている。【選択図】図１
0003187051.tif 000002
【実用新案登録請求の範囲】
【請求項１】
携帯情報機器を収納する携帯情報機器ケースであって、
前記携帯情報機器の本体ケースには、第１の嵌合部を設けたスタンド用支持板を着脱可能に一体的に取付ける一方、前記携帯情報機器の本体ケースの外表面には、前記第１の嵌合部に対応する第２の嵌合部を設けて構成され、
前記スタンド用支持板を前記本体ケースより取り外し、前記第１の嵌合部を前記第２の嵌合部に嵌入れて結合させることで、前記携帯情報機器を立設保持するようにした携帯情報機器ケース。
【請求項２】
請求項１に記載の携帯情報機器ケースにおいて、
前記本体ケースは、前記携帯情報機器の表示部側となる裏面側を開口させた枠体であり、前記第１の嵌合部を設けたスタンド用支持板は、前記枠体の表面に着脱可能に一体的に取付けられており、前記枠体の外表面の適所に、前記第１の嵌合部に対応させた複数の前記第２の嵌合部を形成したことを特徴とする携帯情報機器ケース。
【請求項３】
請求項１に記載の携帯情報機器ケースにおいて、
前記本体ケースは、前記携帯情報機器の表示部側となる裏面側を開口させ、表面側に複数の前記第２の嵌合部が設けられた筐体であり、前記スタンド用支持板は、前記第１の嵌合部を前記第２の嵌合部に嵌入れて結合させて前記筐体の表面に着脱可能に一体的に取付けられており、前記筐体の外表面の複数箇所に、前記第１の嵌合部に対応させた前記第２の嵌合部を形成したことを特徴とする携帯情報機器ケース。
【請求項４】
請求項１〜請求項３のいずれか１項に記載の携帯情報機器ケースにおいて、
前記第１の嵌合部、前記第２の嵌合部のいずれか一方が凸部であり、他方が貫通孔を含む凹部であることを特徴とする携帯情報機器ケース。
【考案の詳細な説明】
【技術分野】
【０００１】
本考案は、携帯情報機器を収納して保護する携帯情報機器ケースの改良に関する。
【背景技術】
【０００２】
近年、携帯電話機やスマートフォン等の携帯情報機器に内蔵されている内蔵カメラの撮影機能の向上には目覚しいものがあり、小型カメラに代わって内蔵カメラを使用して撮影を行う機会が増大している。それに伴って、自分撮りなどのために三脚を使う状況も発生しており、携帯情報機器が取り付け可能な小型三脚が市販されている。
【０００３】
図９は、携帯情報機器に対応した小型三脚を示す図であり、図９（ａ）は小型三脚に携帯情報機器を取付けて、内蔵カメラのある裏面側から見た図、図９（ｂ）は表示部側から見た図である。
図９において、９１は携帯情報機器、９２はそのカメラ、９３はその表示部、そして９４は携帯情報機器９１を保持している小型三脚で、９５はその三脚部、９６は携帯情報機器９１を固定する保持基台、９７は携帯情報機器９１を挟持する保持部で、保持部９７は保持基台９６に対して移動可能に取り付けられ、バネなどによって携帯情報機器９１を挟み込むように構成されている。
実際の携帯情報機器対応小型三脚９４は、三脚部９５に長さ、開き角度の調整機能があり、保持基台９６と三脚部９５の結合部分には角度調整機構が設けられているものが通常であるが、本図では省略している。
利用者は、携帯情報機器９１を保持基台９６に乗せた上で、保持部９７で挟み込んで固定し、三脚部９５を開いて安定に直立させ、被写体に向けて撮影を行う。
【０００４】
また、下記特許文献１には、カメラを収納するクレードルの壁面を開くことでスタンドとして機能させる方法が開示されており、下記特許文献２には、カメラ本体に棒状の支持体を回動可能に設ける方法が開示されている。
一方、携帯情報機器を用いてビデオ視聴やゲームをする際に、表示画面を上にして利用者の見やすい角度に固定して支持する機能をもつ携帯情報機器ケースとしては様々なものがあり、下記特許文献３には、携帯情報端末に取付けるケースの背面に設けられた取付部に装飾物を、位置、角度を調整可能に取り付けて支持部として機能させる方法が開示されている。
また、下記特許文献４には携帯無線通信装置の電池カバーが一端を支点として開く、あるいは、取り外した後に他の部位に取付けて、支持部材として機能させることで携帯無線通信装置を直立させる方法が開示されている。
【先行技術文献】
【特許文献】
【０００５】
【特許文献１】特開２００３−３２５２８号公報
【特許文献２】特開２０１０−１４１４８５号公報
【特許文献３】登録実用新案公報３１８３５００号公報
【特許文献４】特開２００１−３５２３８１号公報
【考案の概要】
【考案が解決しようとする課題】
【０００６】
しかしながら、図９に示したような小型三脚９４は、保持基台９６と保持部９７で構成される保持機構と三脚部９５で構成されているが、携帯情報機器９１と殆ど同じかそれ以上の大きさとなるため嵩張り、携帯情報機器９１と共に携行することを考慮すると、携帯性に劣ると言わざるをえない。
また、特許文献１では、表示側表面の殆どが表示部となっている携帯情報機器では、表示面側に折り畳み脚部を内蔵した壁面を設けられないことと、携帯情報機器の厚さが約１０ｍｍ以下のために側面の壁面にヒンジで開閉するスタンドを設けても強度を確保し難いこと等により、適用は困難である。
【０００７】
また、特許文献２では、小型軽量が望まれる携帯情報機器では棒状の支持体の内蔵は困難であること、携帯情報機器のケースに組み込んだ場合でも、カメラの有る裏面側に仰角を与えるためには、かなり複雑な支持構造が必要となり、回動支点の強度を確保しようとするとヒンジが大型化して携帯情報機器ケースとしては成立し難い。
更に、特許文献３では、携帯情報機器ケースの携帯性を良好に保った上でスタンド機能を持たせることができる一方、携帯情報機器の裏面にあるカメラを水平方向あるいは上方に向けて固定するためには裏面側から表示面側に支持構造を回し込む必要があり、上記同様に支持構造が複雑、大型となり、携帯性を保ちながらの採用は困難である。
また、特許文献４では、携帯性は良好であり、裏面のカメラの向きを少なくとも水平にはできる点で優れているものの、カメラに仰角を与えようとすると接続部に強度を必要とするために構造が大型化するという問題点がある。
つまり、上記した先行文献では、携帯情報機器の携帯性や、構造の複雑さという点で改善すべき点があった。
【０００８】
本考案は、このような事情を考慮して提案されたもので、その目的は、簡易な構造で携帯性が良く、かつ、内蔵カメラの撮影アングルが適宜の角度となるように携帯情報機器を自立させることができる携帯情報機器ケースを提供することにある。
【課題を解決するための手段】
【０００９】
上記目的を達成するために、本考案に係る携帯情報機器ケースは、携帯情報機器を収納する携帯情報機器ケースであって、前記携帯情報機器の本体ケースには、第１の嵌合部を設けたスタンド用支持板を着脱可能に一体的に取付ける一方、前記携帯情報機器の本体ケースの外表面には、前記第１の嵌合部に対応する第２の嵌合部を設けて構成され、前記スタンド用支持板を前記本体ケースより取り外し、前記第１の嵌合部を前記第２の嵌合部に嵌入れて結合させることで、前記携帯情報機器を立設保持する構造にしている。
【００１０】
本体ケースの望ましい実施例では、第１実施形態として、本体ケースを、携帯情報機器の表示部側となる裏面側を開口させた枠体とし、第１の嵌合部を設けたスタンド用支持板を、枠体の表面に着脱可能に一体的に取付けた構造とし、枠体の外表面の適所に、第１の嵌合部に対応させた複数の第２の嵌合部を形成した構造にしている。
また、第２実施形態として、本体ケースを、携帯情報機器の表示部側となる裏面側を開口させ、表面側に複数の第２の嵌合部を設けた筐体とし、スタンド用支持板を、第１の嵌合部を第２の嵌合部に嵌入れて結合させて筐体の表面に着脱可能に一体的に取付けた構造とし、筐体の外表面の複数箇所に、第１の嵌合部に対応させた第２の嵌合部を形成した構造にしている。
また、前記第１の嵌合部、前記第２の嵌合部の代表例としては、いずれか一方が凸部であり、他方が貫通孔を含む凹部であるものとすればよいが、このようなものには限られない。
【考案の効果】
【００１１】
本考案に係る携帯情報機器ケースは、上記のような構成により、簡易な構造で携帯性が良く、かつ、内蔵カメラの撮影アングルが適宜の角度となるように携帯情報機器を自立させることができる。
【図面の簡単な説明】
【００１２】
【図１】本考案の第１実施形態に係る携帯情報機器ケースの一例を示す分解斜視図である。
【図２】携帯情報機器が収納された状態を示す図１に対応した斜視図である。
【図３】（ａ）〜（ｃ）は、いずれもスタンド用支持板を使用して、携帯情報機器を自立させた態様を示す説明図である。
【図４】（ａ）は、本考案の第２実施形態に係る携帯情報機器ケースの一例を示す分解斜視図、（ｂ）は、同携帯情報機器ケースの表面を示す斜視図である。
【図５】第２の実施形態における第１の嵌合部と第２の嵌合部を示す拡大図である。
【図６】（ａ）〜（ｄ）は、いずれも第２の実施形態において、携帯情報機器を自立保持させる態様を示す説明図である。
【図７】（ａ）、（ｂ）は、いずれも第２の実施形態において、携帯情報機器を自立保持させる他の態様を示す説明図である。
【図８】（ａ）、（ｂ）は、いずれも従来の携帯情報機器対応小型三脚を示す説明図である。
【考案を実施するための形態】
【００１３】
以下に本考案の実施形態について、図面に基づいて説明する。
図１〜図３は、第１実施形態に係る携帯情報機器ケースの一例を示している。
携帯情報機器ケースＡは、図２に示すように、本体ケース１０の内部に携帯情報機器５を収納することで、情報機器５を持ち運び時に保護する。本体ケース１０の素材としては、軽量、安価で強度のある合成樹脂が使用されるが、金属、合金などで構成してもよい。
【００１４】
本体ケース１０は、図１に示すように、裏面１０ｄ側は、その全体が大きく開口しており、本体ケース１０に収納された情報機器５は、その開口部から表示部５２が露見する構造となっている（図３（ｃ）参照）。本体ケース１０の表面１０ｃ側には、カメラ窓孔１１と、縦長の開口部１２が形成され、情報機器５を外側から包み込む枠体とされている。
開口部１２は、３つの円孔３１・・・を横一列に穿設して第１の嵌合部３を設けたスタンド支持用板２が嵌め込まれて塞がれるようになっており、第２の嵌合部４を構成する４つの凸部４１・・・は、本体ケース１０の下端面１０ｂに設けてある。
ここに、４つの凸部４１・・・は、３つの円孔３１・・・に対応して、断面が平面視で円形状をなす凸部とされており、３つの円孔３１・・・と同じピッチで一列に形成されており、図例では、本体ケース１０の下端面１０ｂの右側端に偏らせて設けてある。
【００１５】
本体ケース１０の両側端は、図２に示すように、本体ケース１０の表面１０ｃ側に緩やかに傾斜する湾曲部１６を上、下に残して、中間部が大きく欠落しており、その欠落部１３から情報機器５の側面に設けた各種の操作部５３が露見するようになっている。
【００１６】
このような本体ケース１０によれば、情報機器５を挿入することで、情報機器５を包み込むことができ、情報機器５を収納した状態では、表示部５２及び両側面の操作部５３を除き、情報機器５の略全体が枠体で覆われ、情報機器５は保護される。
【００１７】
情報機器５は、図２に示すように、裏面に内蔵カメラ５１を備え、表面に表示部５２を設けるとともに、上端面や両側面には種々の操作部５３を備えている。
情報機器５は、カメラ機能を有したもの以外、ビデオ撮影、電話機能を有したもの、テレビや音楽の視聴、録音録画、データの入出力、メール、インターネット、等の種々の機能を有したものが使用される。
【００１８】
スタンド用支持板２は、弾性係止によって本体ケース１０の開口部１２に取り付けられ、開口部１２を塞いだ状態では、図２に示すように、本体ケース１０と一体となるので、嵩張らずコンパクトである。
また、開口部１２から取り外した状態では、図３（ａ）〜（ｃ）に示すように、ケースＡ内に収納させた情報機器５を自立させるスタンドとして使用できる。
なお、開口部１２の本体ケース１０の下端側には、凹所１５を形成し、指でスタンド用支持板２を引っ掛けるようにして、スタンド用支持板２の取り外しを容易にしている。
また、本体ケース１０の下端の左側端（凸部４１の形成箇所の隣接部位）に、スタンド用支持板２の厚さ寸法と略同突出寸法の膨出部１７を形成している。これにより、第１の嵌合部３を第２の嵌合部４に嵌合させスタンド用支持板２を本体ケース１０に取り付けて、スタンド用支持板２を下にして情報機器５を直立状態とした場合、床と本体ケース１０との間の空隙発生が防止され、安定的に情報機器５を立設保持することができる。
【００１９】
スタンド用支持板２に設けられる第１の嵌合部３と、本体ケース１０に設けられる第２の嵌合部４との組み合わせは、一方が他方に嵌め合わせることで着脱可能に結合できればよい。第２の嵌合部４は、本体ケースの外表面、つまり上端面１０ａ、下端面１０ｂ、両側面など任意の箇所に設けてあればよく、このような組み合わせとしては、孔や凹部と凸部が代表的であるが、その形状や個数は問わない。
本体ケース１０やスタンド用支持板２に設ける箇所や個数を変化させれば、情報機器５を収納したケースＡを任意の傾きを持たせて自立させることができる。
また、非使用時には、スタンド用支持板２を本体ケース１０に一体的に取り付けることができるので、嵩張らず、持ち運びに便利である。
【００２０】
次に、第１の実施形態におけるスタンド用支持板２の使用例を、図３を参照しながら説明する。
図３（a）は、本体ケース１０の上端面１０ａを上にして、情報機器５を自立保持させた状態を示している。内蔵カメラ５１のある裏面側を表に向けているので、情報機器５の表示部５２は隠れている。スタンド用支持板２は、本体ケース１０の下端に直交するように、第１の嵌合部３である円孔３１を、第２の嵌合部である凸部４１に嵌め入れて結合させている。この態様では、内蔵カメラ５１の撮影アングルは水平方向となっている。
図３（ｂ）は、情報機器５の内蔵カメラ５１のある裏面を表に向けて、横向きに傾きを持たせて自立させる態様を示している。ここでは、本体ケース１０に収納させた情報機器５の内蔵カメラ５１に撮影アングル（仰角）を持たせるため、本体ケース１０の下端面１０ｂに設けた第２の嵌合部４を構成する４つの凸部４１のうち、第２〜第４番目の凸部４１を、第１の嵌合部３を構成する３つの円孔３１・・・に嵌め入れて、床面に置いている。
【００２１】
内蔵カメラ５１の撮影アングルは、スタンド用支持板２の長さ寸法や、第１の嵌合部３及び第２の嵌合部４の嵌合箇所を任意に選択することによって、適宜の仰角、俯角を持つように調整することができる。また、仰角をゼロに設定できるようにするために、スタンド用支持板２の円孔３１（第１の嵌合部３）から縁までの距離と、本体ケース１０の凸部４１（第２の嵌合部４）からケース側面までの距離が等しくなるように設計するようにしてもよい。
【００２２】
図３（ｃ）は、情報機器５を、表示部５２のある表面を表に向けて、横向きに傾きを持たせて自立させる態様を示しており、表示部５２に仰角を持たせている。
ここでは、本体ケース１０の下端面１０ｂに設けた第２の嵌合部４を構成する４つの凸部４１のうち、第１〜第３番目の凸部４１を、支持板２に設けた３つの円孔３１・・・に嵌め入れている。この態様では、情報機器５は、表示部５２を横向きにして見ることができる。
【００２３】
本実施形態では、第１の嵌合部３を円孔３１とし、第２の嵌合部４を、第１の嵌合部３に対応して凸部４１とした例を示しているが、この態様に限られない。第１の嵌合部３、第２の嵌合部４のいずれか一方を凸部とし、他方を、貫通孔を含む凹部としてもよい。
【００２４】
本考案によれば、簡易な構造でありながらも、携帯性が良く、スタンド用支持板２をカメラ三脚として使用したり、テレビ等の視聴用スタンドとして使用したりすることができる。
【００２５】
図３（ａ）に示すように、スタンド用支持板２を、携帯情報機器ケース１０の下端面１０ｂに取り付けて、スタンド用支持板２を下にして置くと携帯情報機器５を縦向きに直立させることができ、縦置き写真をとることができる。
また、図３（ｂ）、（ｃ）に示すように、スタンド用支持板２を上端面１０ａあるいは下端面１０ｂに取り付けて右あるいは下側面を下にして置くと、携帯情報機器５を横置きした状態で仰角と俯角を調整することができる。
【００２６】
また、本体ケース１０にスタンド用支持板２を取り付けることによって、待機時にも携帯情報機器５を立設保持して目立った状態にできるので、携帯情報機器５の置き忘れを防止し、紛失し難いものできる。
【００２７】
また、スタンド用支持板２を本体ケース１０に一体的に収納することができるので、ケースＡを携帯する際にも、スタンド用支持板２は嵩張らないので、携帯性を良くすることができ、部品点数を軽減でき、使い勝手が良い。
【００２８】
また、本実施形態では、本体ケース１０は、携帯情報機器５を包み込む枠体としているので、携帯情報機器５が傷付くのが防止され、落下時の破損防止の効果も奏する。なお、携帯情報機器５の外表面に適宜滑り止め加工を施せば、使用時の滑り防止の効果を奏することができ、また、携帯情報機器５の外表面に適宜装飾を施せば、見栄えを向上させることができる。
【００２９】
また、嵌合部３，４が凹凸の嵌め込み構造の場合、スタンド用支持板２の縁を接地点とする場合には、嵌合部３，４にかかる力が引き抜き方向ではなく、横向きになるので、嵌合部３，４の引き抜き保持力が弱くても支持力を発揮できるという利点がある。
【００３０】
次に、本考案に係る他の実施の形態について、図面を参照しながら説明する。
図４〜図６は、第２実施形態に係る携帯情報機器ケースＢの一例を示している。
以下では、第１実施形態に係る携帯情報機器ケースとの相違点について主に説明し、同様の構成については、同一符号を付し、その説明を省略または簡略に説明する。
【００３１】
本体ケース１０Ａは、図４及び図５に示すように、その外表面の複数箇所（図例では略全体）が規則正しい網目状になっており、網目の各々は、平面視方形の開口４２を有し、それぞれが第２の嵌合部４を構成している。
このような本体ケース１０Ａは、表面１０ｃ側は閉じ、裏面１０ｄ側、つまり情報機器５を収納したときに、情報機器５の表示部５２が露見する側が大きく開いた開口部を構成しており、更に、本体ケース１０Ａの上、下端面１０ａ，１０ｂや、両側面は一部を除いて、いずれもが塞がった筐体とされている。
情報機器５は、本体ケース１０Ａの裏面１０ｄ側の開口部から挿入し収納すれば、情報機器５は収納状態では、表示部５２と操作部５３が露出し、それ以外の部分が本体ケース１０Ａで覆われ保護される。
【００３２】
この実施形態では、第１の嵌合部３及び第２の嵌合部４が、上記第１実施形態とは異なっており、スタンド用支持板２Ａは、その表面２０には縦縞の溝条２１が形成され、裏面には、第１の嵌合部３を構成する複数の凸部２２・・・を、本体ケース１０Ａ側に形成した第２の嵌合部４を構成する網目の開口４２・・・に対応して規則正しく列設してある。
なお、スタンド用支持板２Ａの表面２０には、任意の構造デザイン、装飾を施すようにしてもよい。
【００３３】
次に、第２の実施形態を示すスタンド用支持板２Ａの使用例を、図６を参照しながら説明する。
第２の実施形態は、支持板２Ａをスタンドとして利用する際の、情報機器５の縦横の向き、仰角・俯角の設定自由度、支持板２Ａの取り付け位置などの自由度を大幅に拡大したものである。
図６（ａ）は、本体ケース１０Ａの下端にスタンド用支持板２０Ａを結合し、支持板２０Ａを下にして情報機器５を縦向きに自立保持させた状態を示し、図６（ｂ）は、本体ケース１０Ａの側端に支持板２０Ａを結合し、支持板２０Ａを下にして情報機器５を横向きに自立保持させた状態を示している。
図６（ｃ）、（ｄ）は、いずれも本体ケース１０Ａの側端に支持板２０Ａを結合させ、下端側を下にして情報機器５を縦向きに自立保持させた状態を示しており、図６（ｃ）では、情報機器５を直立状態としており、図６（ｄ）では、情報機器５の内蔵カメラ５１に撮影アングル（仰角）を持たせている。
また、図７（ａ）は、情報機器５の内蔵カメラ５１に撮影アングル（仰角）を持たせるために、本体ケース１０Ａを横向きにして、本体ケース１０Ａの下端に支持板２０Ａを結合させて傾けた状態に自立させた態様を示している。また、図７（ｂ）は、本体ケース１０Ａの側端に支持板２０Ａを結合させて、情報機器５の表示部５２のある表面を表に向けて、横向きに傾きを持った状態に自立させる態様を示している。
【００３４】
スタンド用支持板２Ａは、上記のような構造であるので、図４（ａ）、（ｂ）に示したように、裏面に形成した複数の凸部２２・・・を、本体ケース１０Ａに形成された網目の開口４２に合致させるように位置を合わせて嵌め入れることで、本体ケース１０Ａに一体的に結合させることができ、また、本体ケース１０Ａから取り外して、裏面に形成した複数の凸部２２・・・を、本体ケース１０Ａの網目の任意の箇所の開口４２に嵌め入れて結合させることで、図６に示したように、情報機器５を収納し自立保持することができる。
【００３５】
また、凸部２２は、平面視正方形状の開口４２の対角線方向に整列して嵌合することで、隣接する開口４２には凸部２２が嵌合せず、開口４２を構成する四角柱が凸部２２に押されて曲がる余地を与えることで、曲げ応力による摩擦力を得るようにすることができ、凸部２２の寸法許容度を大きくすることができる。
【００３６】
また、本体ケース１０Ａの表面１０ｃに第２の嵌合部４が設けられているので、第２の嵌合部４に嵌合する第１の嵌合部３を備えた装飾物やネームプレート、小物入れ等、スタンド用支持板２Ａ以外のものでも、取付けることが可能である。
【００３７】
また、本体ケース１０Ａの網目の開口４２で構成された第２の嵌合部４に、図５に詳細に示したように、網目の開口４２の一対の対角に、第１の嵌合部３となる平面視円形状の凸部２２の側周面に当接する固定部４２ａを設けておけば、接触点を増やすことができ、凸部２２の引き抜きに対して保持力を増加させることができる。これにより、スタンドとして使用する際に用いられる本体ケース１０Ａの側面の網目の開口４２に固定部４２ａを設けることにより、スタンドとしての安定性を増すことができる。
なお、固定部４２ａを第１の嵌合部３の外周に沿うような円弧形状としてもよく、その場合は更に保持力が向上する。
【００３８】
また、図６（ｂ）に示すように、スタンド用支持板２を、左あるいは右側面に取り付けて、スタンド用支持板２を下にして置くと、携帯情報機器５を横向きに直立させることができ、横置き写真をとることができる。
更に、図６（ｃ）、（ｄ）に示すように、スタンド用支持板２を、左あるいは右側面に取り付けて下端面１０ｂを下にして置くと、スタンド用支持板２の縁を支持部として携帯情報機器５を縦置きすることができ、スタンド用支持板２の取り付け位置と突き出し量によって携帯情報機器５の仰角あるいは俯角を調整することができる。
また、図７（ｂ）に示すように、スタンド用支持板２を右あるいは左側面に取り付け、左あるいは右側面を下にすると、携帯情報機器５を横置きした状態で大きな仰角を与えることができるので、表示部５２を上にすると従来のスタンド付き携帯情報機器ケースと同様に、大きな仰角を与えた状態で固定できる。
【００３９】
なお、第１の実施形態と同じく、縦向きでの仰角ゼロの設定を可能にするために、スタンド用支持板２Ａの右端あるいは左端の凸部２２（第１の嵌合部３）から縁までの距離と、本体ケース１０Ａの左右側面下端の開口４２（第２の嵌合部４）から下端面１０ｂまでの距離を等しく設計するようにしてもよい。また、横向きでの仰角ゼロの設定を可能にするために、スタンド用支持板２Ａの左端あるいは右端の凸部２２から縁までの距離と、本体ケース１０の下端面１０ｂの左右端の開口４２から左右側面までの距離を等しく設計するようにしてもよい。
【符号の説明】
【００４０】
Ａ，Ｂ                                      情報機器収納ケース
１０，１０Ａ                                本体ケース
１１                                        カメラ窓孔
１２                                        開口部
２，２Ａ                                    スタンド用支持板
３，３１，２２                              第１の嵌合部
４，４１，４２                              第２の嵌合部
５                                          携帯情報機器
【図１】
0003187051.tif 000003
【図２】
0003187051.tif 000004
【図３】
0003187051.tif 000005
【図４】
0003187051.tif 000006
【図５】
0003187051.tif 000007
【図６】
0003187051.tif 000008
【図７】
0003187051.tif 000009
【図８】
0003187051.tif 000010